(57)【要約】  【課題】  基板の脱着を容易に行えるようにする。  【解決手段】  機器本体３は、底板１１および背面板１５を有する。前面ケースは、前端を持ち上げるようにして開閉可能に機器本体３に取り付けられ、前側の操作面および後側の傾斜面を有する。ステイが、機器本体３と前面ケースを連結し、前面ケースの開き角を規定している。プリント基板３１は、機器本体３の底板１１上に配置されている。機器本体３の背面板１５には、基板の設置高さに対応する位置にガイド穴５３が設けられている。プリント基板３１の後端３５には、ガイド穴５３に挿通される突起５５が設けられている。機器本体３の底板１１に、プリント基板３１が締結される締結ボス３９が立設され、さらに、締結ボス３９より後方であって背面板１５の近傍に配置されたガイドボス５１が立設されている。【選択図】  図１
2005286199.tif 000002
【特許請求の範囲】
【請求項１】
底板および背面板を有する箱形の機器本体と、
前端を持ち上げるようにして開閉可能に前記機器本体に取り付けられ、前側の操作面および前記操作面に対して傾斜した後側の傾斜面を有する前面ケースと、
前記機器本体と前記前面ケースを連結し、前記前面ケースの開き角を規定するステイと、
前記機器本体の底板上に配置された基板と、
を備え、前記機器本体の背面板には、前記基板の設置高さに対応する位置にガイド穴を設け、前記基板の端部には、前記ガイド穴に挿通される突起を設けたことを特徴とする電子機器。
【請求項２】
前記機器本体の前記底板に、前記基板が締結される締結ボスと、前記締結ボスより後方であって前記背面板の近傍に配置され、前記基板の設置高さ以下の高さを有するガイドボスとを立設したことを特徴とする請求項１に記載の電子機器。
【請求項３】
前記機器本体の前記底板の前方部分の下側に吸着盤を備えたことを特徴とする請求項１または２に記載の電子機器。
【発明の詳細な説明】
【技術分野】
【０００１】
本発明は、操作面を有する前面ケースを開閉して機器本体内部の保守作業を行うタイプの電子機器に関し、特に、保守性の向上に関する。
【背景技術】
【０００２】
従来、操作卓のような電子機器は、例えば、特許文献１および特許文献２に示されるように、箱形の機器本体と、その上に被せられる前面ケースとを備えており、前面ケースに操作部材が設けられている。そして、前面ケースは、前端を持ち上げるようにして開閉される。特許文献１では、前面ケースのキーボード部分が開閉され、特許文献２では、キーボードを含む前面ケース全体が開閉される。
【０００３】
この種の電子機器では、前面ケースを開けた状態で、プリント基板等の機器本体内の部品の保守作業が行われる。また、前面ケースの開きすぎによる転倒などを防ぐために、前面ケースの開き角がステイで規制されている（特許文献２参照）。
【０００４】
しかし、特許文献１は、機器本体に基枠を取り付け、基枠にプリント基板を保持しており、基板の取付構造が複雑である。また、特許文献２も、機器本体内に箱形のシェルフを取り付け、シェルフにプリント基板を保持しており、やはり基板の取付構造が複雑である。
【０００５】
図６は、より簡素な基板取付構造の例を示している。電子機器１０１において、機器本体１０３は筐体であり、底板１０５と背面板１０７を有する。底板１０５には、複数のボス１０９が立設されている。プリント基板１１１は、これら複数のボス１０９に載せられており、固定ねじ１１３でボス１０９に締結されている。また、プリント基板１１１の後端からはボリューム操作部１１５が突出しており、ボリューム操作部１１５は、背面板１０７の穴１１７に挿通されている。
【特許文献１】特開平７−３３６０７２号公報（第２ー３ページ、図１）
【特許文献２】特開平４−３３６４９９号公報（第３ページ、図２）
【発明の開示】
【発明が解決しようとする課題】
【０００６】
しかしながら、上記の基板取付構造は、保守作業でプリント基板１１１を脱着するとき、前面ケースの開き角がステイで制限されるために、背面板１０７の近くにある基板後端の固定ねじ１１３へ工具を挿入するのが容易でなく、脱着作業が面倒である。このように、従来構造は、基枠またはシェルフが不要で簡素な点で有利な反面、保守作業が容易でない点で不利である。
【０００７】
もちろん、プリント基板１１１の後端の締結を廃止すれば作業は容易になる。しかし、単純に締結を廃止してしまうと、プリント基板１１１の隅が支持されなくなり、プリント基板１１１の安定支持の面で不利である。また、プリント基板１１１を背面板１０７から遠ざけることも考えられるが、機器本体１０３が大型化してしまう可能性がある。
【０００８】
本発明は、上記背景の下でなされたものであり、その目的は、構造が簡素であり、かつ、脱着が容易な基板装置を提供することにある。
【課題を解決するための手段】
【０００９】
本発明の電子機器は、底板および背面板を有する箱形の機器本体と、前端を持ち上げるようにして開閉可能に前記機器本体に取り付けられ、前側の操作面および前記操作面に対して傾斜した後側の傾斜面を有する前面ケースと、前記機器本体と前記前面ケースを連結し、前記前面ケースの開き角を規定するステイと、前記機器本体の底板上に配置された基板と、を備え、前記機器本体の背面板には、基板の設置高さに対応する位置にガイド穴を設け、前記基板の端部には、前記ガイド穴に挿通される突起を設けた構成を備えている。
【００１０】
この構成により、背面板のガイド穴と基板の突起とによって基板が支持されるので、背面板付近のねじを廃止することができ、したがって、基板の脱着作業を容易にできる。このように、従来は背面板と基板が近いことが脱着作業を不利にしていたのに対して、従来とは逆に本発明は背面板が基板に近いことを利用して、背面板に基板を支持させるという工夫をしており、これにより、基板の脱着作業を容易にできる。
【００１１】
また、本発明の電子機器は、前記機器本体の前記底板に、前記基板が締結される締結ボスと、前記締結ボスより後方であって前記背面板の近傍に配置され、前記基板の設置高さ以下の高さを有するガイドボスとを立設した構成を備えている。
【００１２】
この構成により、背面板のガイド穴への基板の突起を挿入するときに、ガイドボスが基板を案内するので、基板の取付作業をさらに容易にできる。
【００１３】
また、本発明の電子機器は、前記機器本体の前記底板の前方部分の下側に吸着盤を備えている。
【００１４】
この構成により、前面カバーを開けている状態での、機器本体の転倒がより確実に防止されるので、基板の脱着作業をさらに容易にできる。
【発明の効果】
【００１５】
上記のように、本発明は、背面板のガイド穴と基板の突起を設けたことにより、背面板付近のねじを廃止することができ、基板の脱着作業を容易にできるという効果を有する電子機器を提供することができるものである。
【発明を実施するための最良の形態】
【００１６】
以下、本発明の実施の形態の電子機器について、図面を用いて説明する。
【００１７】
図１は、本発明の実施の形態に係る電子機器の主要部を示しており、図２〜図４は、電子機器全体を示している。まず、図２〜図４を参照し、電子機器の全体構成を説明する。
【００１８】
図２において、電子機器１は、機器本体３と前面ケース５を備えている。機器本体３は箱形であり、前面ケース５で覆われており、これらによって筐体が構成されている。前面ケース５は、操作面７と傾斜面９とを有する。操作面７は前側にあり、後方が高くなるように傾斜している。傾斜面９は、操作面７の後側にあり、操作面７に対してさらに傾斜している。ここで、本実施の形態において、前側とは、操作者にとって手前側であり、後側とは、操作者にとって奥側を意味する。
【００１９】
操作面７には、操作部材が並んでいる。また、傾斜面９にはディスプレイ等が設けられている。図示のように、傾斜面９にも操作部材が設けられてよい。また、操作面７にもディスプレイ、ランプ等の表示器が設けられてもよい。
【００２０】
次に、図３および図４は、前面カバー５が開いた状態を示している。機器本体３は上述のように箱形であり、底板１１、前面板１３、背面板１５および側板１７を有する。背面板１５の上端（機器本体３の後端）と前面ケース５の後端が蝶番１９で連結されており、蝶番１９を中心として前面ケース５が回転自在であり、これにより、前面ケース５は、前端を持ち上げるようにして開かれる。
【００２１】
機器本体３と前面ケース５は、左右に設けられた２本のステイ２１で連結されている。ステイ２１は折畳み式であり、下記に説明するように、前面ケース５の開き角を規定している。
【００２２】
すなわち、各々のステイ２１は、２本のアーム２３、２５が連結された構造を有し、アーム２３、２５は互いに回転可能である。さらに、ステイ２１の一端は、機器本体３の側板１７に回転可能に取り付けられており、他端は前面ケース５の略中央に回転可能に取り付けられている。
【００２３】
ステイ２１は、前面ケース５が閉じている状態では折り畳まれている。前面ケース５が開くに従って、２本のアーム２３、２５も開いていく。そして、図３および図４の状態では、アーム２３、２５が一直線になっており、前面ケース５はこれ以上は開かない。このようにして、ステイ２１は、前面ケース５の開き角を規定している。
【００２４】
図４に示されるように、最大開き角は、９０度よりやや小さく設定されている。最大開き角は、機器本体３の内部の全体が前方から見える程度であって、前面ケース５の開き過ぎによる転倒が生じにくい程度の大きさに設定されている。そして、このような最大開き角が実現されるように上記のステイ２１が構成されている。
【００２５】
また、機器本体３の底板１１の下側には、前足２７および後足２９が設けられている。前足２７および後足２９は、左右に２カ所ずつ、底板１１の４隅に設けられている。後足２９は、一般の電子機器に見られるようなゴム等の部材である。これに対して、前足２７は吸着盤である。吸着盤（吸盤）は、円錐型の柔軟部材で構成され、設置面に押しつけられて変形し、差圧によって設置面に吸着する。本実施の形態では、このような真空の原理を利用する一般的な吸着盤が適用されてよい。
【００２６】
次に、機器本体３の内部について説明すると、図３および図４に示すように、機器本体３の中には、実装されたプリント基板３１、３３が取り付けられている。本実施の形態は、これらプリント基板３１、３３の取付構造に特徴を有する。以下、プリント基板３１に着目して、本実施の形態の基板取付構造を説明するが、プリント基板３３の取付構造の原理も同様である。
【００２７】
図１は、プリント基板３１の取付構造を示している。既に説明したように、機器本体３は底板１１と背面板１５を有し、背面板１５は底板１１の後端に立設されている。プリント基板３１は、後端３５が背面板１５に近接するように、底板１１の上に配置されている。
【００２８】
底板１１には、プリント基板３１の前方半部に対応する位置に、円柱形状の４つの締結ボス３９が突設されている。４つの締結ボス３９のうち、２つの締結ボス３９は、プリント基板３１の前端３７の両隅に対応する位置に設けられている。残りの２つの締結ボス３９は、前端３７から少し後方に設けられている。
【００２９】
締結ボス３９の高さは、プリント基板３１の設置高さに対応する。締結ボス３９の上面にはねじ穴が設けられている。プリント基板３１の穴を通してねじ４１が締結ボス３９のねじ穴に締め付けられ、これによりプリント基板３１が締結ボス３９に固定されている。
【００３０】
底板１１には、さらに、背面板１５の直前であって、プリント基板３１の後端３５の両隅に対応する位置に、ガイドボス５１が突設されている。ガイドボス５１の高さは、プリント基板３１の設置高さ以下であればよい。本実施の形態では、ガイドボス５１の高さは、基板設置高さより少し低く設定されている。ガイドボス５１は、例えば袋ナットで構成され、底板１１の裏側からねじで固定されている。ガイドボス５１には、ねじ穴が設けられておらず、プリント基板３１の後端部はねじ止めされない。
【００３１】
また、背面板１５には、図示のように、２つのガイド穴５３が開けられている。一方、プリント基板３１の後端３５の両隅には２つの四角形の突起５５が設けられている。ガイド穴５３は横長の貫通穴である。そして、ガイド穴５３の位置および形状は、突起５５と対応している。
【００３２】
ガイド穴５３についてさらに説明すると、ガイド穴５３の高さは、プリント基板３１の設置高さと同等である。より詳細には、プリント基板３１の前端３７が締結ボス３９に載せられ、水平に配置された状態で、ガイド穴５３とプリント基板３１の高さが同じである。また、ガイド穴５３の横方向の位置は、プリント基板３１の突起５５と同じである。さらに、ガイド穴５３の横方向の長さは突起５５の横方向の長さとほぼ同じであり、かつ、ガイド穴５３の幅は、プリント基板３１の厚さとほぼ同じである。
【００３３】
このように、ガイド穴５３の位置および形状が突起５５に対応している。そして、突起５５がガイド穴５３に挿入され、ガイド穴５３に支持されており、これによりプリント基板３１の後端３５が背面板１５に支持されている。
【００３４】
また、プリント基板３１の後端３５の略中央には、ボリューム操作部材５７が設けられている。ボリューム操作部材５７は、例えば、液晶のコントラストの調整つまみである。背面板１５は、ボリューム操作部材５７に対応する位置に円形の開口５９が設けられている。ボリューム操作部材５７は、開口５９を通って、機器後部に突出している。
【００３５】
なお、ボリューム用の開口５９は、鋼板である背面板１５の打抜き成型によって形成されている。そして、基板用のガイド穴５３も、開口５９と共に打抜き成型されている。したがって、特別な工程を追加することなく、ガイド穴５３が背面板１５に設けられている。
【００３６】
次に、本実施の形態に係る電子機器１の保守作業におけるプリント基板３１の脱着工程について説明する。
【００３７】
まず、前面カバー５が、前端を持ち上げるようにして開かれる。ステイ２１が、折曲げ状態から開き、ステイ２１が一直線になるまで前面カバー５が開かれる。次に、プリント基板３１のねじ４１が取り外される。そして、プリント基板３１の突起５５が背面板１５のガイド穴５３から外れるまで、プリント基板３１が前方に引っ張られる。このとき、プリント基板３１が、前端３７を持ち上げるようにして斜めに配置され、それから引っ張られてもよい。突起５５がガイド穴５３から外れると、プリント基板３１は機器本体３から完全に外れるので、機器本体３と前面カバー５の間から外に取り出される。
【００３８】
次に、プリント基板３１を取り付ける工程を説明する。まず、前面カバー５が開いた状態で、プリント基板３１が機器本体３と前面カバー５の間から、機器本体３の中へと挿入される。そして、プリント基板３１の後端３５の突起５５が背面板１５のガイド穴５３に通される。
【００３９】
図５を参照すると、プリント基板３１は、機器本体３の底部奥の隅へ向けて斜めに挿入される。そして、プリント基板３１の後端３５の突起５５がガイドボス５１に突き当てられる。次に、プリント基板３１の前端３７が下げられ、プリント基板３１が水平にされる。それから、プリント基板３１が後方に押され、プリント基板３１の突起５５が背面板１５のガイド穴５３に挿入される。プリント基板３１は、後端３５が背面板１５に突き当たるまで押される。このように、ガイドボス５１を設けたことで、プリント基板３１の挿入方向が誤って低すぎて（図５の二点鎖線）、突起５５を上手くガイド穴５３に挿入できないといった事態を回避できる。
【００４０】
次に、ねじ４１を使ってプリント基板３１が締結ボス３９に固定される。前方半部の４箇所が締結ボス３９に固定され、後端３５の両隅が背面板１５に支持され、これによりプリント基板３１が安定して支持される。
【００４１】
なお、上記の脱着工程で前面カバー５が開いている間、底板１１の前足２７の吸着作用によって、機器本体３が設置面に固定され、電子機器１の後方への転倒が確実に防止される。
【００４２】
以上に説明したように、本発明の実施の形態の電子機器１によれば、背面板１５のガイド穴５３と基板の突起５５とによって基板が支持されるので、背面板１５付近のねじを廃止することができ、したがって、基板の脱着作業を容易にできる。
【００４３】
また、ガイド穴５３は、他の穴等と共に背面板１５のプレス成形によって容易に作れる。また、基板の突起も容易に作れる。したがって、本実施の形態の構造は容易に製造できる。
【００４４】
このように、従来は背面板と基板が近いことが脱着作業を不利にしていたのに対して、本実施の形態は、従来とは逆に、背面板１５が基板に近いことを利用している。そして、背面板１５のガイド穴５３に基板を支持させるという工夫により、基板の脱着作業を容易にできている。
【００４５】
また、本実施の形態では、背面板１５の近傍に、基板設置高さ以下の高さを有するガイドボス５１を備えており、これにより、背面板１５のガイド穴５３への基板の突起５５を挿入するときに、ガイドボス５１が基板を案内するので、基板の取付作業をさらに容易にできる。より詳細には、ガイドボス５１を設けたことで、プリント基板３１の挿入方向が誤って低すぎて、突起５５を上手くガイド穴５３に挿入できないといった事態を回避できる。前面カバー５の開き角がステイ２１で規制されていると、機器本体３の底部奥が見づらい場所なので、上記のガイドボス５１は、組付性を大幅に向上できる。
【００４６】
また、本実施の形態では、機器本体３の底板１１の前方部分の下側に吸着盤を備えており、これにより、前面カバー５を開けている状態での、機器本体３の転倒がより確実に防止されるので、基板の脱着作業をさらに容易にできる。
【００４７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００４８】
以上のように、本発明にかかる電子機器は、基板の脱着作業を容易にできるという効果を有し、操作卓等の電子機器として有用である。
【図面の簡単な説明】
【００４９】
【図１】本発明の実施の形態における電子機器の要部を示す図
【図２】本発明の実施の形態における電子機器の斜視図
【図３】本発明の実施の形態における、前面カバーが開いた状態の電子機器の斜視図
【図４】本発明の実施の形態における、前面カバーが開いた状態の電子機器の断面図
【図５】プリント基板の取付工程を示す図
【図６】従来の電子機器の基板取付構造を示す図である。
【符号の説明】
【００５０】
１  電子機器
３  機器本体
５  前面ケース
７  操作面
９  傾斜面
１１  底板
１３  前面板
１５  背面板
１７  側板
１９  蝶番
２１  ステイ
２７  前足
２９  後足
３１  プリント基板
３９  締結ボス
５１  ガイドボス
５３  ガイド穴
５５  突起
【図１】
2005286199.tif 000003
【図２】
2005286199.tif 000004
【図３】
2005286199.tif 000005
【図４】
2005286199.tif 000006
【図５】
2005286199.tif 000007
【図６】
2005286199.tif 000008